(57)【要約】【課題】撮像機能を有した表示画面から取り込まれる画像データに係る構図の確認を容易に行いつつ撮影を実施することができる電子機器を提供する。【解決手段】電子機器１Ａの筐体の表面のうち、互いに異なる方向に向いた２つの面に、撮像機能を有する第１表示部１１の表示面と、第１表示部１１によって取得される画像を表示する第２表示部１２の表示面１２ｆとをそれぞれ配置する。【選択図】図３
2005184306.tif 000002
【特許請求の範囲】
【請求項１】
電子機器であって、
被写体に係る画像を取得する撮像機能を有する第１の表示部と、
前記第１の表示部の撮像機能によって取得される画像を表示する第２の表示部と、
を備え、
前記電子機器の筐体の表面のうち、互いに異なる方向に向いた第１と第２の面に、前記第１と第２の表示部の表示面がそれぞれ配置されていることを特徴とする電子機器。
【請求項２】
請求項１に記載の電子機器であって、
前記電子機器の筐体の表面のうち、互いに略反対の方向に向いた第１と第２の面に、前記第１と第２の表示部の表示面がそれぞれ配置されていることを特徴とする電子機器。
【請求項３】
電子機器であって、
被写体に係る画像を取得する撮像機能を有する第１の表示部と、
前記第１の表示部の撮像機能によって取得される画像を表示する第２の表示部と、
を備え、
前記電子機器の筐体の表面のうち、互いに略同一の方向に向いた第１と第２の面に、前記第１と第２の表示部の表示面がそれぞれ配置されていることを特徴とする電子機器。
【請求項４】
電子機器であって、
被写体に係る画像を取得する撮像機能を有する第１の表示部と、
前記第１の表示部の撮像機能によって取得される画像を表示する第２の表示部と、
を備え、
前記第１の表示部と前記第２の表示部との相対的な位置関係が変更可能であることを特徴とする電子機器。
【請求項５】
請求項４に記載の電子機器であって、
前記第１の表示部の表示面と前記第２の表示部の表示面との相対的な角度関係が変更可能であることを特徴とする電子機器。
【請求項６】
請求項４または請求項５に記載の電子機器であって、
前記第１の表示部が、
前記電子機器の筐体に固定され、
前記電子機器が、
前記筐体と前記第２の表示部との相対的な位置関係を変更する変更手段、
を備えることを特徴とする電子機器。
【請求項７】
請求項４または請求項５に記載の電子機器であって、
前記第２の表示部が、
前記電子機器の筐体に固定され、
前記電子機器が、
前記筐体と前記第１の表示部との相対的な位置関係を変更する変更手段、
を備えることを特徴とする電子機器。
【請求項８】
請求項１から請求項７のいずれかに記載の電子機器であって、
被写体に係る光学像を光学部材によって撮像素子に結像させることで、画像を取得する撮像部、
を更に備え、
前記電子機器の筐体の表面のうち、互いに略反対の方向に向いた第１と第２の面に、前記光学部材の開口部と、前記第１及び第２の表示部の表示面のうちの相対的に大きな表示面とがそれぞれ配置されていることを特徴とする電子機器。
【発明の詳細な説明】
【技術分野】
【０００１】
本発明は、撮像機能を有する電子機器に関する。
【背景技術】
【０００２】
従来、画像データを出力・表示するものとして液晶表示パネルが知られており、また、印刷文字や写真等をもとに画像データを取り込むものとしてスキャナが知られている。
【０００３】
そして、最近、ＳＯＧ（システムオングラス）技術を活用し、液晶画素の中に光センサー素子を作り込むことで、液晶表示パネルに印刷文字や写真等を当てて、画像データを取り込むことができる「インプット機能（撮像機能）」を搭載した液晶表示パネル（インプットディスプレイ）が実現されている（例えば、特許文献１、非特許文献１、２）。
【０００４】
このインプットディスプレイでは、例えば、名刺や写真等の平面的な対象物をディスプレイ上に角をあわせるように載せて、その背面より所定の蓋で覆うことで、平面的な対象物を容易に傾きなく撮影することができる。つまり、平面的な対象物を撮影する際に、容易かつ適正に画像の構成を決定することができる。
【０００５】
このような技術に関する先行技術文献としては、以下のようなものがある。
【０００６】
【特許文献１】特開平１１−０８７４１号公報
【非特許文献１】”液晶画面がそのままスキャナに  東芝松下ディスプレイが世界初”、［online］、２００３年４月３日、ZD Net JAPAN、［２００３年１０月３１日検索］、インターネット＜URL：http://www.zdnet.co.jp/news/0304/03/njbt_06.html＞。
【非特許文献２】”液晶パネルで写真も名刺も読み込める  東芝「インプットディスプレイ」”、［online］、２００３年９月２３日、Windows(R)CE FAN、［２００３年１０月３１日検索］、インターネット＜URL：http://www.wince.ne.jp/snap/ceSnapView.asp?PID=1453＞。
【発明の開示】
【発明が解決しようとする課題】
【０００７】
しかしながら、上記インプットディスプレイは、画像データを取り込む際には、ディスプレイが撮影対象物等によって覆われてしまう為、構図等、取り込む画像データがどのようなものになるのかを確認しつつ、撮影対象物の位置合わせを行うことができない。
【０００８】
本発明は、上記課題に鑑みてなされたものであり、撮像機能を有した表示画面から取り込まれる画像データに係る構図の確認を容易に行いつつ撮影を実施することができる電子機器を提供することを目的とする。
【課題を解決するための手段】
【０００９】
上記の課題を解決するために、請求項１に記載の発明は、電子機器であって、被写体に係る画像を取得する撮像機能を有する第１の表示部と、前記第１の表示部の撮像機能によって取得される画像を表示する第２の表示部とを備え、前記電子機器の筐体の表面のうち、互いに異なる方向に向いた第１と第２の面に、前記第１と第２の表示部の表示面がそれぞれ配置されていることを特徴とする。
【００１０】
また、請求項２に記載の発明は、請求項１に記載の電子機器であって、前記電子機器の筐体の表面のうち、互いに略反対の方向に向いた第１と第２の面に、前記第１と第２の表示部の表示面がそれぞれ配置されていることを特徴とする。
【００１１】
また、請求項３に記載の発明は、電子機器であって、被写体に係る画像を取得する撮像機能を有する第１の表示部と、前記第１の表示部の撮像機能によって取得される画像を表示する第２の表示部とを備え、前記電子機器の筐体の表面のうち、互いに略同一の方向に向いた第１と第２の面に、前記第１と第２の表示部の表示面がそれぞれ配置されていることを特徴とする。
【００１２】
また、請求項４に記載の発明は、電子機器であって、被写体に係る画像を取得する撮像機能を有する第１の表示部と、前記第１の表示部の撮像機能によって取得される画像を表示する第２の表示部とを備え、前記第１の表示部と前記第２の表示部との相対的な位置関係が変更可能であることを特徴とする。
【００１３】
また、請求項５に記載の発明は、請求項４に記載の電子機器であって、前記第１の表示部の表示面と前記第２の表示部の表示面との相対的な角度関係が変更可能であることを特徴とする。
【００１４】
また、請求項６に記載の発明は、請求項４または請求項５に記載の電子機器であって、前記第１の表示部が、前記電子機器の筐体に固定され、前記電子機器が、前記筐体と前記第２の表示部との相対的な位置関係を変更する変更手段を備えることを特徴とする。
【００１５】
また、請求項７に記載の発明は、請求項４または請求項５に記載の電子機器であって、前記第２の表示部が、前記電子機器の筐体に固定され、前記電子機器が、前記筐体と前記第１の表示部との相対的な位置関係を変更する変更手段を備えることを特徴とする。
【００１６】
また、請求項８に記載の発明は、請求項１から請求項７のいずれかに記載の電子機器であって、被写体に係る光学像を光学部材によって撮像素子に結像させることで、画像を取得する撮像部を更に備え、前記電子機器の筐体の表面のうち、互いに略反対の方向に向いた第１と第２の面に、前記光学部材の開口部と、前記第１及び第２の表示部の表示面のうちの相対的に大きな表示面とがそれぞれ配置されていることを特徴とする。
【発明の効果】
【００１７】
請求項１に記載の発明によれば、電子機器の筐体の表面のうち、互いに異なる方向に向いた第１と第２の面に、第１と第２の表示部の表示面がそれぞれ配置されているため、例えば、第１の表示部の表示面よりも大きな原稿を撮影対象物とした場合等において、第１の表示部が設けられる面を下面として当該撮影対象物の上に電子機器を載置した状態で、別の第２の表示部によって第１の表示部から取り込まれる画像データに係る構図の確認を容易に行いつつ撮影を実施することができる。
【００１８】
また、請求項２に記載の発明によれば、電子機器の筐体の表面のうち、互いに略反対の方向に向いた第１と第２の面に、第１と第２の表示部の表示面がそれぞれ配置されているため、例えば、第１の表示部の表示面よりも大きな原稿を撮影対象物とした場合等において、第１の表示部が設けられる面を下面として当該撮影対象物の上に電子機器を載置した状態で、電子機器の上面方向から、第１の表示部からの画像を第２の表示部によって確認しつつ、容易に構図の調整を行うことができる。
【００１９】
また、請求項３に記載の発明によれば、電子機器の筐体の表面のうち、互いに略同一の方向に向いた第１と第２の面に、第１と第２の表示部の表示面がそれぞれ配置されているため、例えば、第１の表示部の表示面よりも小さな名刺を撮影対象物とした場合等において、第１の表示部が設けられる面を上面とした状態で電子機器を机上等に載置し、第１の表示部の表示面上に撮影対象物を載せて、別の第２の表示部によって第１の表示部から取り込まれる画像データに係る構図の確認を容易に行いつつ撮影を実施することができる。
【００２０】
また、請求項４から請求項７に記載の発明によれば、撮像機能を有する第１の表示部と、第１の表示部からの画像を表示する第２の表示部との相対的な位置関係を変更することができるため、第１の表示部の撮像機能によって撮影を行う電子機器の操作状態に応じた形で、第２の表示部によって第１の表示部から取り込まれる画像データに係る構図の確認を容易に行いつつ撮影を実施することができる。
【００２１】
また、請求項８に記載の発明によれば、電子機器の筐体の表面のうち、互いに略反対の方向に向いた第１と第２の面に、撮像部の光学部材の開口部と、第１及び第２の表示部の表示面のうちの相対的に大きな表示面とがそれぞれ配置されているため、撮像部による撮影時に、ユーザーは被写体の方向を向いた状態で、撮像部から取り込まれる画像を比較的大きな表示面に表示させることで撮像部から取り込まれる画像データに係る構図の確認を容易に行いつつ撮影を実施することができる。すなわち、カメラとしての使い勝手の良さを考慮した電子機器を提供することができる。
【発明を実施するための最良の形態】
【００２２】
以下、本発明の実施形態を図面に基づいて説明する。
【００２３】
＜１．第１実施形態＞
＜電子機器の要部構成＞
図１および図２は、本発明の第１実施形態に係る電子機器１Ａの外観を示す図である。
【００２４】
電子機器１Ａは、例えば、携帯式の電子機器の一種であるカメラ付きの携帯電話機として構成されており、本体筐体部１ａと可動部１ｂとがヒンジ部(接続部)ＲＣにより接続されている。そして、このヒンジ部ＲＣを中心に回動して、電子機器１Ａの本体筐体部１ａに対して可動部１ｂが閉じて折り畳まれる状態（収納状態）(図２参照)と、可動部１ｂが開いて展開される状態（展開状態）(図１参照)との間の移行が可能になる。
【００２５】
また、電子機器１Ａは、本体筐体部１ａに撮像部１０Ａと記憶ボタン（レリーズボタン）ＳＷ１とモード切替ボタンＳＷ２とが設けられるとともに、可動部１ｂに撮像部１０Ａで撮像された画像を表示可能な第１表示部１１と第２表示部１２とが設けられている。
【００２６】
撮像部１０Ａは、光学レンズ(光学部材)および光学レンズを駆動するレンズ駆動部と、撮像素子および撮像素子を駆動する撮像素子駆動部とを有しており、被写体に係る光学像を光学部材によって撮像素子に結像させることで、画像データ（画像）を生成し、取得する。この撮像素子は、光学レンズを介して被写体を撮像して画像を取得する撮像手段として機能し、例えばＲ(赤)、Ｇ(緑)、Ｂ(青)の原色透過フィルターがピクセル単位に市松状に配列されたＣＣＤとして構成されている。そして、撮像部１０Ａでは、撮像素子から出力したアナログ画像信号に対してゲイン調整などのアナログ処理を行った後に、Ａ／Ｄ変換を行いデジタル信号の画像データを出力する。
【００２７】
第１表示部１１は、画像表示可能な液晶ディスプレイとして構成されるとともに、ＳＯＧ(システムオングラス)技術を利用して液晶画素の中に光センサ素子が作り込まれており、スキャナのように画像入力が可能となっている。この第１表示部１１による画像入力では、バックライトを照明として第１表示部１１の表示面(画像入力面)１１ｆに接する平面状の被写体が光センサによって撮像されることとなる。具体的には、図２(ａ)に示すように表示面１１ｆを内側にして可動部１ｂが折り畳まれる収納状態において、画像入力機能を能動化して画像入力動作を行い、本体筐体部１ａと可動部１ｂとの隙間に介挿された原稿ＳＨに対しての画像入力が行われる。
【００２８】
このように第１表示部１１が、被写体としての原稿ＳＨに係る画像を取得する撮像機能を有する手段として構成される。そして、電子機器１Ａは、携帯電話機として構成されるとともに、撮像部１０Ａや第１表示部１１といった撮像機能を有しているため、撮像装置として構成されているとも見ることもできる。
【００２９】
第２表示部１２は、可動部１ｂにおいて第１表示部１１の面に対する反対面(裏面)に設けられ、第１表示部１１のように画像入力機能を有しない通常の液晶ディスプレイとして構成されており、第１表示部１１の撮像機能によって取得される画像を表示する。よって、ここでは、電子機器１Ａの筐体の一部である可動部１ｂの表面のうち、互いに略反対の方向に向いた２つの面（第１の面と第２の面とも称する）に、第１と第２の表示部１１，１２の表示面１１ｆ，１２ｆがそれぞれ配置されている。すなわち、電子機器１Ａの筐体の一部である可動部１ｂの表面のうち、互いに異なる方向に向いた第１と第２の面に、第１と第２の表示部１１，１２の表示面１１ｆ，１２ｆがそれぞれ配置されている。換言すれば、第１表示部１１の表示面１１ｆと第２表示部１２の表示面１２ｆとが可動部１ｂの異なる面に配置される。
【００３０】
第１及び第２表示部１１，１２をこのように配置することで、例えば、図２(ａ)に示すように表示面１１ｆを内側にして可動部１ｂが折り畳まれる収納状態において、第１表示部１１によって画像入力動作を行う場合などにおいて、第１表示部１１とは別に設けられた第２表示部１２によって第１表示部１１から取り込まれる画像データに係る構図の確認を容易に行いつつ撮影を実施することができる。
【００３１】
なお、上述した電子機器の筐体の「面の方向」とは、「面の法線方向」のことであり、本明細書では、以下、同様な意味で「面の方向」という言葉を使用する。
【００３２】
また、ここで「電子機器１Ａの筐体の表面のうち、互いに異なる方向に向いた第１と第２の面に、第１と第２の表示部１１，１２の表示面１１ｆ，１２ｆがそれぞれ配置されている」状態とは、第１表示部１１の表示面１１ｆが形成する面、すなわち表示面１１ｆ（第１の面）が電子機器１Ａの外側に向かう方向（第１の面の垂線上であって電子機器１Ａの外側に向かう方向）を「表示面１１ｆの正面方向」と称し、第２表示部１２の表示面１２ｆが形成する面、すなわち表示面１２ｆ（第２の面）が電子機器１Ａの外側に向かう方向（第２の面の垂線上であって電子機器１Ａの外側に向かう方向）を「表示面１２ｆの正面方向」と称すると、表示面１１ｆの正面方向と表示面１２ｆの正面方向とがなす角度（第１と第２の面の方向がなす角度）が、例えば、約９０度以上（上限は１８０度）となるような状態を含む。
【００３３】
ここで、角度を約９０度以上とするのは、例えば、図２(ａ)に示すように表示面１１ｆを内側にして可動部１ｂが折り畳まれる収納状態において、第１表示部１１によって画像入力動作を行う場合などでは、可動部１ｂのうち内側にされた表示面１１ｆとは異なる面に第２表示部１２を設けなければ、第２表示部１２によって第１表示部１１から取り込まれる画像データに係る構図の確認を行いつつ撮影を実施することができないからである。
【００３４】
そして、薄く小型であることが要求される携帯電話機においては、可動部１ｂを薄くすることが要求されるため、表示面１１ｆの正面方向と表示面１２ｆの正面方向とがなす角度が、例えば、約１７０度以上（上限は１８０度）等、１８０度以下でなるべく大きな方が好ましく、更に、好ましくは、表示面１１ｆの正面方向と表示面１２ｆの正面方向とがなす角度が、約１８０度となることである。
【００３５】
また、ここで「電子機器１Ａの筐体の表面のうち、互いに略反対の方向に向いた第１と第２の面に、第１と第２の表示部１１，１２の表示面１１ｆ，１２ｆがそれぞれ配置されている」状態とは、表示面１１ｆの正面方向と表示面１２ｆの正面方向とがなす角度が、約１７０度以上（上限は１８０度）となるような状態を含む。ここで、角度を約１７０度以上とするのは、上述の如く、薄く小型であることが要求される携帯電話機においては、可動部１ｂを薄くすることが要求されるためである。そして、可動部１ｂを薄く小型にするといった要求に対しては、表示面１１ｆの正面方向と表示面１２ｆの正面方向とがなす角度が、約１８０度となることが更に好ましい。
【００３６】
つまり、薄く小型であることが要求される携帯電話機においては、第２表示部１２が、電子機器１Ａの筐体の一部である可動部１ｂの表面のうち、互いに異なる方向に向いた第１と第２の面に、第１と第２の表示部１１，１２の表示面１１ｆ，１２ｆがそれぞれ配置されている状態よりも、電子機器１Ａの筐体の一部である可動部１ｂの表面のうち、互いに略反対の方向に向いた第１と第２の面に、第１と第２の表示部１１，１２の表示面１１ｆ，１２ｆがそれぞれ配置されている状態である方がより好ましい。
【００３７】
記憶ボタンＳＷ１は、撮像部１０Ａや第１表示部１１により被写体を撮影してその画像データを記憶するためのボタンである。つまり、記憶ボタンＳＷ１が、ユーザーによる押下操作、すなわち撮影開始の指示を受け付ける部材として機能する。
【００３８】
モード切替ボタンＳＷ２は、撮像部１０Ａによって被写体を撮影するための撮影モード（撮影モードＩ）、第１表示部１１によって被写体を撮影するための撮影モード（撮影モードII）、および撮影した画像を第１表示部１１や第２表示部１２に再生表示するための再生モードなどの機能モードを選択するためのボタンである。そして、モード切替ボタンＳＷ２の押下により、各モードが順次サイクリックに切り替わることとなる。
【００３９】
図３は、電子機器１Ａの機能を示すブロック図である。
【００４０】
電子機器１Ａは、上述した撮像部１０Ａや、第１表示部１１および第２表示部１２で構成される表示部(表示手段)１９とデータ伝送可能に接続する制御部１３を備えている。
【００４１】
制御部１３は、ＣＰＵおよびメモリを有しており、電子機器１Ａの各部を統括的に制御する部位である。
【００４２】
具体的には、制御部１３においては、記憶ボタンＳＷ１およびモード切替ボタンＳＷ２に対するユーザの操作入力を検出したり、制御信号を送出し撮像部１０Ａで生成された撮影画像データを受信する制御を行う。また、第１表示部１１に対しては、撮像部１０Ａと同様に制御信号を送出して入力画像データ(Input Data)を受信するとともに、制御部１３から表示用画像データと制御信号とを送出して第１表示部１１で画像表示する制御を行う。なお、第１表示部１１で取得される入力画像が文章などで構成される画像の場合には、文章の内容をテキストデータに変換する処理を行っても良い。
【００４３】
また、制御部１３においては、第２表示部１２に対して表示用画像データと制御信号とを送出し第２表示部１２において画像表示する制御を行うとともに、電子機器１Ａに対して着脱自在に装着可能なメモリカードなどの記憶媒体９に対して撮像部１０Ａや第１表示部１１で取得した画像を例えばＪＰＥＧ形式で記録し、記録された画像を読み出す制御を行う。
【００４４】
さらに、電子機器１Ａに接続されるモニタＴＶに対しては、表示用画像データをＮＴＳＣ形式で送信してモニタＴＶに表示させる制御を行う。
【００４５】
そして、制御部１３の制御によって、撮像部１０Ａによって撮影を行う際、電子機器１Ａの本体筐体部１ａに対し可動部１ｂが開いて展開される展開状態にあるときには、第１表示部１１によって撮像部１０Ａで取得される画像（ライブビュー表示用の画像等）が表示され、電子機器１Ａの本体筐体部１ａに対し可動部１ｂが閉じて折り畳まれる収納状態にあるときには、第２表示部１２によって撮像部１０Ａで取得される画像（ライブビュー表示用の画像等）が表示される。なお、展開状態にある場合には、第１および第２表示部１１，１２の両方または第２表示部１２で画像が表示されるようにしても良い。一方、第１表示部１１によって撮影を行う際には、展開状態および収納状態に拘わらず、第２表示部１２によって第１表示部１１で取得される画像（ライブビュー表示用の画像等）が表示される。
【００４６】
また、制御部１３は、例えばガンマ補正などの画像処理を行う画像処理部１４を有している。
【００４７】
＜撮影動作＞
図４は、電子機器１Ａが撮影モードIIに設定されている場合における撮影動作フローを示すフローチャートである。この撮影動作フローは、制御部１３によって制御される。
【００４８】
電子機器１Ａの電源がオン状態でモード切替ボタンＳＷ２が押下される等して、撮影モードIIに設定されると、撮影モードIIの撮影動作フローが開始し、図４のステップＳ１に進む。
【００４９】
ステップＳ１では、第２表示部１２が画像を表示する動作（表示動作）を行うように設定され、ステップＳ２に進む。
【００５０】
ステップＳ２では、第１表示部１１が撮影動作を行うように設定され、ステップＳ３に進む。
【００５１】
ステップＳ３では、第１表示部１１によって画像を入力し、当該画像を第２表示部１２で表示し、ステップＳ４に進む。具体的には、第１表示部１１の撮像機能によって画像を取得し、当該取得された画像が、制御部１３における処理を経て、第２表示部１２に転送され、第２表示部１２において表示される。なお、ここでは、ステップＳ３の処理が１回目の場合には、バックライトが予め決められた発光量で発光することで撮影を行い、ステップＳ３の処理が２回目以降の場合には、後述するステップＳ４において設定された発光量でバックライトが発光することで撮影を行う。
【００５２】
ステップＳ４では、バックライトの発光量の設定、すなわち、自動露光制御（ＡＥ）を行い、ステップＳ５に進む。ここでは、ステップＳ３において取得された画像に基づいて測光が行われ、当該画像から求まる被写体輝度が所定値となるように、バックライトの発光量が設定される。具体的には、撮影時におけるバックライトの発光強度や発光時間を設定することで、発光量を設定する。なお、ここでは、第１表示部１１の露光時間を設定することで、露光制御をしても良い。更に、アナログ信号処理におけるＡＧＣでゲイン調整をすることで露光制御をしても良い。
【００５３】
ステップＳ５では、撮影モードIIの解除指示があるか否かを判別する。ここでは、ユーザーによってモード切替ボタンＳＷ２が押下されて、撮影モードIIから他のモードへとモード設定を切り替えるような指示があった場合には、撮影モードIIを解除する指示（解除指示）があったものとして、撮影モードIIを解除して、撮影モードIIの撮影動作フローを終了する。一方、撮影モードIIの解除指示がない場合には、ステップＳ６に進む。
【００５４】
ステップＳ６では、記憶ボタンＳＷ１が押下されたか否かを判別する。ここでは、記憶ボタンＳＷ１が押下されるとステップＳ７に進み、押下されなければステップＳ３に戻る。つまり、撮影モードIIに設定された状態で、記憶ボタンＳＷ１が押下されない限りは、ステップＳ３からステップＳ６の処理が繰り返される。したがって、ステップＳ３において順次ライブビュー用の画像を取り込んで、第２表示部１２によってライブビューを表示する為、ユーザーは、第１表示部１１の表示面１１ｆに対して被写体がセットされた状態で、構図の確認を容易に行うことができる。すなわち、撮影の失敗を未然に防ぎ、撮影に要する無駄な作業工程や作業時間の発生を抑制することができる。
【００５５】
ステップＳ７では、第１表示部１１による本撮影動作を行い、ステップＳ８に進む。ここでは、第１表示部１１による本撮影動作によって、表示面１１ｆに接する被写体に係る撮影画像を取得する。
【００５６】
ステップＳ８では、ステップＳ７において取得された撮影画像を、制御部１３において種々処理して、圧縮処理を行い、記憶媒体９へ撮影画像を記憶する処理（記憶処理）を行って、ステップＳ３に戻る。つまり、撮影モードIIにおいて本撮影動作を行う際には、撮影モードIIの設定が解除されない限り、ステップＳ３からステップ８の処理が適宜繰り返される。
【００５７】
以上では、撮影モードIIにおける撮影動作フローについて説明した。一方、撮影モードＩでは、一般的なカメラ付き携帯電話機と同様な撮影動作フローとなる為、特に図示を省略するが、例えば、撮影モードＩとなると、撮像部１０Ａによって得られるライブビュー用の画像が第１表示部１１や第２表示部１２等に表示される状態となり、記憶ボタンＳＷ１が押下されると、撮像部１０Ａによる本撮影動作を行って撮影画像データを取得して、記憶媒体９への記憶処理を行うといった撮影動作フローとなる。
【００５８】
以上のように、本発明の第１実施形態に係る電子機器１Ａでは、電子機器１Ａの筐体の表面のうち、互いに異なる方向に向いた第１と第２の面に、第１と第２表示部１１，１２の表示面１１ｆ，１２ｆがそれぞれ配置されている。このように第１及び第２表示部１１，１２が配置されることで、例えば、図２(ａ)に示すように表示面１１ｆを内側にして可動部１ｂが折り畳まれる収納状態において、第１表示部１１によって画像入力動作を行う場合などにおいて、第１表示部１１とは別に設けられた第２表示部１２によって第１表示部１１から取り込まれる画像データに係る構図の確認を容易に行いつつ撮影を実施することができる。
【００５９】
＜２．第２実施形態＞
上述した第１実施形態に係る電子機器１Ａでは、図２(ｂ)に示すように、本体筐体部１ａ側に撮像部１０Ａが設けられたが、第２実施形態に係る電子機器１Ｂでは、図５に示すように、可動部１ｂ側の第２表示部１２が設けられている面と同じ面に撮像部１０Ａと同様な構成及び機能等を有する撮像部１０Ｂが設けられる。なお、第２実施形態に係る電子機器１Ｂの各部は、撮像部を除いて第１実施形態に係る電子機器１Ａと同様となるため、図５では、電子機器１Ａと同様な部分については同様な符合を付して説明を省略し、その他の部分や機能構成や撮影動作等についても電子機器１Ａと同様となるため説明を省略する。
【００６０】
電子機器１Ｂでは、図１及び図２に示すように、第１表示部１１の表示面１１ｆの方が、第２表示部１２の表示面１２ｆよりも相対的に面積が大きくなるように構成される。また、上述したように、第２表示部１２が、可動部１ｂにおいて第１表示部１１の面に対する反対面(裏面)に設けられ、撮像部１０Ｂが、可動部１ｂのうち第２表示部１２が配置されている面と同じ面に設けられている。つまり、第１表示部１１と撮像部１０Ｂとが可動部１ｂの表裏面に設けられるように配置される。言い換えれば、電子機器１Ｂの筐体の表面のうち、互いに略反対の方向に向いた第１と第２の面に、撮像部１０Ｂの光学部材である撮影レンズ（具体的には、撮影レンズの開口面、換言すれば、撮影レンズの開口部）と、第１及び第２の表示部の表示面のうちの相対的に大きな表示面である表示面１１ｆとがそれぞれ配置されている。
【００６１】
このような構成とすることで、撮像部１０Ｂによる撮影時に、ユーザーは、被写体の方向を向いた状態で、撮像部１０Ｂから取り込まれる画像（ライブビュー表示）を比較的大きな表示面１１ｆに表示させることで、被写体とライブビュー表示とを見比べながら、撮像部１０Ｂから取り込まれる画像データに係る構図の確認を容易に行いつつ撮影を実施することができる。すなわち、カメラとしての使い勝手の良さを考慮した電子機器１Ｂを提供することができる。
【００６２】
ここで「電子機器１Ｂの筐体の表面のうち、互いに略反対の方向に向いた第１と第２の面に、撮像部１０Ｂの光学部材である撮影レンズと、第１及び第２の表示部の表示面のうちの相対的に大きな表示面とがそれぞれ配置されている」状態とは、表示面１１ｆの正面方向と撮像部１０Ｂによる撮影方向（ここでは、撮像部１０Ｂの撮影レンズの光軸のうち、当該レンズ表面側から電子機器１Ｂの外側に向けて伸びる方向）とがなす角度（第１と第２の面の方向がなす角度）が、約１３５度以上（上限は１８０度）となるような状態を含む。ここで、角度を約１３５度以上とするのは、ユーザーが被写体と表示面１１ｆに表示されるライブビュー表示とを見比べながら、撮像部１０Ｂによって撮影を行うためである。つまり、被写体から若干だけ視線をずらすだけでライブビュー表示を見ることができるような部材の配置となることが必要だからである。そして、上述の如く、薄く小型であることが要求される携帯電話機においては、可動部１ｂを薄くすることが要求されるため、表示面１１ｆの正面方向と撮像部１０Ｂによる撮影方向とがなす角度が、約１７０度以上となることが好ましく、更に、好ましくは、表示面１１ｆの正面方向と撮像部１０Ｂによる撮影方向とがなす角度が、約１８０度となることである。
【００６３】
なお、第２実施形態に係る電子機器１Ｂでは、第１表示部１１の表示面１１ｆの方が、第２表示部１２の表示面１２ｆよりも相対的に面積が大きくなるように構成されたが、これに限られるものではなく、第２表示部１２の表示面の方が、第１表示部１１の表示面よりも相対的に面積が大きくなるように構成された場合には、図２に示すように、電子機器１Ｂが収納状態にあるときに、電子機器１Ｂの表裏面のうちの一方の面に第２表示部１２を設け、他方の面に撮像部１０Ｂが設けられるようにしても良い。言い換えれば、電子機器１Ｂの筐体の表面のうち、互いに略反対の方向に向いた第１と第２の面に、光学部材である撮影レンズ（具体的には、撮影レンズの開口面、換言すれば、撮影レンズの開口部）と、第１及び第２の表示部の表示面のうちの相対的に大きな表示面である表示面１２ｆとがそれぞれ配置されているようにしても良い。
【００６４】
以上のように、本発明の第２実施形態に係る電子機器１Ｂでは、電子機器１Ｂの筐体の表面のうち、互いに略反対の方向に向いた第１と第２の面に、撮像部１０Ｂの光学部材である撮影レンズと、第１及び第２の表示部の表示面のうちの相対的に大きな表示面とがそれぞれ配置されている。このような構成とすることで、撮像部１０Ｂによる撮影時に、ユーザーは被写体の方向を向いたままで、撮像部１０Ｂから取り込まれる画像を比較的大きな表示面に表示させて、撮像部１０Ｂから取り込まれる画像データに係る構図の確認を容易に行いつつ撮影を実施することができる。すなわち、カメラとしての使い勝手の良さを考慮した電子機器１Ｂを提供することができる。
【００６５】
＜３．第３実施形態＞
上述した第１及び第２実施形態に係る電子機器１Ａ，１Ｂはカメラ付きの携帯電話機として構成されていたが、図６及び図７に示すように、第３実施形態に係る電子機器１Ｃは携帯式の電子機器の一種である撮像装置（例えば、デジタルスチルカメラ）として構成される。なお、第３実施形態に係る電子機器１Ｃでは、電子機器の筐体５０の形状やその筐体５０に対する各部（第１表示部、第２表示部、撮像部、記憶ボタン、及びモード切替ボタン）の配置等が第１及び第２実施形態に係る電子機器１Ａ，１Ｂと異なるのみである。よって、ここでは、電子機器１Ａ，１Ｂと異なる部分を筐体５０、第１表示部１１Ｃ、第２表示部１２Ｃ、撮像部１０Ｃ、記憶ボタンＳＷ１Ｃ、及びモード切替ボタンＳＷ２Ｃと符合を変更して示している。但し、機能構成や撮影動作等については、電子機器１Ａ，１Ｂと同様となるため、ここでは説明を省略する。以下、図６及び図７等を参照しつつ、電子機器１Ａ，１Ｂと異なる電子機器１Ｃの筐体の形態や各部の配置等について説明する。
【００６６】
図６及び図７は、本発明の第３実施形態に係る電子機器１Ｃの外観構成を示す図である。図６は正面側からみた概略斜視図であり、図７は背面側からみた概略斜視図である。図６及び図７に示すように、電子機器１Ｃは、薄型の略直方体形状を有している。つまり、電子機器１Ｃの筐体５０が薄型の略直方体形状を有している。
【００６７】
図６に示すように、電子機器１Ｃは、その正面側に撮影レンズ１００等を備えており、撮影レンズ１００の内側には撮影レンズ１００によって結像される光学像を光電変換する撮像素子が設けられる。つまり、電子機器１Ｃの正面側に撮影レンズ１００及び撮像素子等を含む撮像部１０Ｃが設けられる。また、電子機器１Ｃは、その上面側に記憶ボタン（レリーズボタン）ＳＷ１Ｃ等を備えている。
【００６８】
また、図７に示すように、電子機器１Ｃは、その背面側に撮像機能を有する第１表示部１１Ｃと、通常の液晶ディスプレイである第２表示部１２Ｃとを備えている。つまり、電子機器１Ｃの筐体５０の表面のうち、互いに略同一の方向に向いた第１と第２の面に、第１と第２表示部１１Ｃ，１２Ｃの表示面１１Ｃｆ，１２Ｃｆがそれぞれ配置されている。また、電子機器１Ｃは、その背面側にモード切替ボタンＳＷ２Ｃを備えている。
【００６９】
図８は、第１表示部１１Ｃによって被写体を撮影する場合の使用例を示す模式図であり、図８では、名刺ＰＡの文字が印刷されている面（印刷面）が被写体となっている。図８に示すように、例えば、電子機器１Ｃを撮影レンズ１００側が下面となるように机上等に置き、名刺ＰＡをその印刷面が第１表示部１１Ｃの表示面１１ｆＣに接するように載せ、第１表示部１１Ｃによる画像データの取り込みを行うことで、名刺ＰＡの印刷面に係る画像を取得することができる。
【００７０】
このとき、名刺ＰＡを撮影対象物として、第１表示部１１によって本撮影する前に、第１表示部１１Ｃで取得されるライブビュー用の画像を、電子機器１Ｃの筐体５０の表面のうち、表示面１１ｆＣと略同一の方向に向いた表示面１２ｆＣにおいてライブビュー表示することができる。その結果、ユーザーがほとんど視点をずらすことなく画像の構図を確認しつつ、ライブビュー表示における構図と撮影対象物とを見比べながら、撮影対象物の位置や角度等を適宜調整しつつ撮影を実施することができる。つまり、第１表示部１１Ｃから取り込まれる画像データに係る構図の確認を、別の第２表示部１２Ｃによるライブビュー表示によって容易に行いつつ撮影を実施することができる。
【００７１】
ここで「電子機器１Ｃの筐体５０の表面のうち、互いに略同一の方向に向いた第１と第２の面に、第１と第２表示部１１Ｃ，１２Ｃの表示面１１Ｃｆ，１２Ｃｆがそれぞれ配置されている」状態とは、第１表示部１１Ｃの表示面１１ｆＣ（第１の面）が電子機器１Ｃの外側に向かう方向（第１の面の垂線上であって電子機器１Ｃの外側に向かう方向）を「表示面１１ｆＣの正面方向」と称し、第２表示部１２Ｃの表示面１２ｆＣが形成する面、すなわち表示面１２ｆＣ（第２の面）が電子機器１Ｃの外側に向かう方向（第２の面の垂線上であって電子機器１Ｃの外側に向かう方向）を「表示面１２ｆＣの正面方向」と称すると、表示面１１ｆＣの正面方向と表示面１２ｆＣの正面方向とがなす角度（第１と第２の面の方向がなす角度）が、例えば、約４５度以下となるような状態を含む。
【００７２】
ここで、角度を約４５度以下とするのは、例えば、図８に示すように電子機器１Ｃを撮影レンズ１００側が下面となるように机上等に置き、名刺ＰＡをその印刷面が第１表示部１１Ｃの表示面１１ｆＣに接するように載せて、第１表示部１１Ｃによる画像データの取り込みを行う場合などでは、第２表示部１２Ｃに表示されるライブビュー表示を見て構図を容易に確認しながら、名刺ＰＡの位置を動かすためには、略同一の視点からライブビュー表示と名刺ＰＡとの角度関係や位置関係が分かるような配置としなければならないからである。
【００７３】
そして、略同一の視点から第２表示部１２Ｃ上のライブビュー表示と第１表示部１１Ｃ上の撮影対象物との角度関係や位置関係をより見易くするためには、表示面１１ｆＣの正面方向と表示面１２ｆＣの正面方向とがなす角度が、例えば、約１５度以下等、なるべく小さな方が好ましく、更に、好ましくは、表示面１１ｆＣの正面方向と表示面１２ｆＣの正面方向とがなす角度が、約０度となることである。
【００７４】
以上のように、本発明の第３実施形態に係る電子機器１Ｃでは、電子機器１Ｃの筐体５０の表面のうち、互いに略同一の方向に向いた第１と第２の面に、第１と第２表示部１１Ｃ，１２Ｃの表示面１１ｆＣ，１２ｆＣがそれぞれ配置されている。このような構成とすることで、例えば、図８に示すように、表示面１１ｆＣよりも同じか小さな名刺を撮影対象物とした場合等において、第１表示部１１Ｃが設けられる面を上面とした状態で電子機器１Ｃを机上等に載置し、表示面１１ｆＣ上に撮影対象物を載せて、別の第２表示部１２Ｃ上のライブビュー表示によって第１表示部１１Ｃから取り込まれる画像データに係る構図の確認を容易に行いつつ撮影を実施することができる。
【００７５】
＜４．第４実施形態＞
上述した第３実施形態に係る電子機器１Ｃでは、電子機器１Ｃの筐体５０の表面のうち、互いに略同一の方向に向いた第１と第２の面に、第１と第２表示部１１Ｃ，１２Ｃの表示面１１ｆＣ，１２ｆＣがそれぞれ配置されたが、図９に示す第４実施形態に係る電子機器１Ｄでは、第１表示部１１Ｄと第２表示部１２Ｄとの角度関係が変更可能に形成される。なお、第４実施形態に係る電子機器１Ｄでは、第１表示部１１Ｄと第２表示部１２Ｄとの角度関係が変更可能に形成される点以外は、第３実施形態に係る電子機器１Ｃと同様な構成となるため、図９では、電子機器１Ｃと異なる部分を撮像部１０Ｄ、第１表示部１１Ｄ及び第２表示部１２Ｄと符合を変更して示し、電子機器１Ｃと同様な部分については同じ符合を付して説明を省略する。また、機能構成や撮影動作等についても電子機器１Ａ〜１Ｃと同様となるため説明を省略する。以下、図９等を参照しつつ、電子機器１Ｃと異なる部分について説明する。
【００７６】
図９は、本発明の第４実施形態に係る電子機器１Ｄの背面側からみた外観構成を示す概略斜視図である。また、図１０は、第１表示部１１Ｄと第２表示部１２Ｄとの角度関係の変更態様を示す模式図であり、図９の矢印ＤＡの示す電子機器１Ｄの側面側から見た図となっている。
【００７７】
図９に示すように、電子機器１Ｄが、第１表示部１１Ｄ等が設けられた部分（本体筐体部）５０ａと第２表示部１２Ｄが設けられた部分（可動部）５０ｂとを備えて構成され、本体筐体部５０ａと可動部５０ｂとが接続部ＲＣ２によって、軸Ａｘ１を中心として本体筐体部５０ａに対して可動部５０ｂが回動自在に接続されている。つまり、第１表示部１１Ｄが、電子機器１Ｄの本体筐体部５０ａに対して固定配置され、接続部ＲＣ２が、本体筐体部５０ａと第２表示部１２Ｄとの相対的な位置関係を変更する手段として機能する。
【００７８】
そして、この接続部ＲＣ２によって本体筐体部５０ａに対して可動部５０ｂを回動させることで、第２表示部１２Ｄが電子機器１Ｄの背面側（第１表示部１１Ｄが設けられる側）に配置される状態（第１の状態）（図１０(ａ)参照）と、第２表示部１２Ｄが電子機器１Ｄの上面側に配置される状態（第２の状態）（図１０(ｂ)参照）と、第２表示部１２Ｄが電子機器１Ｄの正面側（撮影レンズ１００が設けられる側）に配置される状態（第３の状態）（図１０(ｃ)参照）との間の移行が可能となる。
【００７９】
つまり、接続部ＲＣ２によって、第１表示部１１Ｄの表示面１１ｆＤと第２表示部１２Ｄの表示面１２ｆＤとの相対的な角度関係が変更可能となっている。また、別の観点から言えば、接続部ＲＣ２によって、第１表示部１１Ｄと第２表示部１２Ｄとの相対的な位置関係が変更可能となっている。
【００８０】
また、第１の状態（図１０(ａ)）では、第３実施形態に係る電子機器１Ｃと同様に、本体筐体部５０ａと可動部５０ｂとを含む電子機器１Ｄの筐体の表面のうち、互いに略同一の方向に向いた２つの面（第１と第２の面とも称する）に、第１と第２表示部１１Ｄ，１２Ｄの表示面１１ｆＤ，１２ｆＤがそれぞれ配置されている。その結果、第２表示部１２Ｄ上のライブビュー表示によって第１表示部１１Ｄから取り込まれる画像データに係る構図の確認を容易に行いつつ撮影を実施することができる。
【００８１】
さらに、第３の状態（図１０(ｃ)）では、第１実施形態に係る電子機器１Ａと同様に、電子機器１Ｄの筐体の表面のうち、互いに異なる方向に向いた２つの面（第１と第２の面とも称する）に、第１と第２の表示部１１Ｄ，１２Ｄの表示面１１ｆＤ，１２ｆＤがそれぞれ配置されている。また、言い換えれば、電子機器１Ｄの筐体の表面のうち、互いに略反対の方向に向いた２つの面（第１の面と第２の面とも称する）に、第１と第２の表示部１１Ｄ，１２Ｄの表示面１１ｆＤ，１２ｆＤがそれぞれ配置されている。
【００８２】
よって、図８に示すように電子機器１Ｄを撮影レンズ１００側が下面となるように机上等に置き、名刺ＰＡをその印刷面が第１表示部１１Ｄの表示面１１ｆＤに接するように載せ、第１表示部１１Ｄによる画像データの取り込みを行う場合などでは、第２表示部１２Ｄによって第１表示部１１Ｄから取り込まれる画像データに係る構図の確認を容易に行いつつ撮影を実施するために、第１の状態（図１０(ａ)）とすることができる。
【００８３】
一方、図１１に示すように、第１表示部１１Ｄの表示面１１ｆＤの面積よりも大きな面積を有する紙面等を撮影対象物ＰＤとした場合には、紙面等の撮影対象物ＰＤを机上等に置き、その上から第１表示部１１Ｄを下面としつつ表示面１１ｆＤと撮影対象物ＰＤとが接するように、撮影対象物上に電子機器１Ｄを載置して、第３の状態（図１０(ｃ)）とすることで、第１表示部１１Ｄで取得されるライブビュー用の画像を第２表示部１２Ｄに表示させて、構図を確認しつつ、撮影対象物ＰＤ上で電子機器１Ｄの位置をずらして、構図を適宜調整することができる。つまり、第２表示部１２Ｄによって第１表示部１１Ｄから取り込まれる画像データに係る構図の確認を容易に行いつつ第１表示部１１Ｄによって撮影を実施することができる。
【００８４】
なお、ここで「電子機器１Ｄの筐体の表面のうち、互いに異なる方向に向いた第１と第２の面に、第１と第２の表示部１１Ｄ，１２Ｄの表示面１１ｆＤ，１２ｆＤがそれぞれ配置されている」状態とは、第１実施形態と同様に、表示面１１ｆＤ（第１の面）が電子機器１Ｄの外側に向かう方向（第１の面の垂線上であって電子機器１Ｄの外側に向かう方向）を「表示面１１ｆＤの正面方向」と称し、表示面１２ｆＤ（第２の面）が電子機器１Ｄの外側に向かう方向（第２の面の垂線上であって電子機器１Ｄの外側に向かう方向）を「表示面１２ｆＤの正面方向」と称すると、表示面１１ｆＤの正面方向と表示面１２ｆＤの正面方向とがなす角度（第１と第２の面の方向がなす角度）が、例えば、約９０度以上（上限は１８０度）となるような状態を含む。
【００８５】
ここで、角度を約９０度以上とするのは、例えば、図１１に示すように表示面１１ｆＤを下面にして撮影対象物上に対して電子機器１Ｄが載置される状態において、第１表示部１１Ｄによって画像入力動作を行う場合などでは、表示面１１ｆＤとは異なる面に第２表示部１２Ｄを設けなければ、第２表示部１２Ｄによって第１表示部１１Ｄから取り込まれる画像データに係る構図の確認を行いつつ撮影を実施することができないからである。
【００８６】
そして、第２表示部１２Ｄに表示されるライブビューを確認しつつ、撮影対象物ＰＤ上に載置される電子機器１Ｄの位置を適宜調整するためには、撮影対象物ＰＤの面（すなわち、表示面１１ｆＤ）と表示面１２ｆＤとがなるべく平行関係に近く、一見して、撮影対象物ＰＤに対する電子機器１Ｄの位置とライブビュー上の構図との関係が分かり易い方が好ましい。よって、上記のごとく、表示面１１ｆＤの正面方向と表示面１２ｆＤの正面方向とがなす角度が、例えば、約１７０度以上（上限は１８０度）等、なるべく大きな方が好ましく、更に、好ましくは、表示面１１ｆＤの正面方向と表示面１２ｆＤの正面方向とがなす角度が、約１８０度となることである。
【００８７】
一方、ここで「電子機器１Ｄの筐体の表面のうち、互いに略反対の方向に向いた第１と第２の面に、第１と第２の表示部１１Ｄ，１２Ｄの表示面１１ｆＤ，１２ｆＤがそれぞれ配置されている」状態とは、第１実施形態と同様に、表示面１１ｆＤの正面方向と表示面１２ｆＤの正面方向とがなす角度（第１と第２の面の方向がなす角度）が、約１７０度以上（上限は１８０度）となるような状態を含む。
【００８８】
ここで、角度を約１７０度以上とするのは、上述の如く、第２表示部１２Ｄに表示されるライブビューを確認しつつ、撮影対象物ＰＤ上に載置される電子機器１Ｄの位置を適宜調整するためには、撮影対象物ＰＤの面（すなわち、表示面１１ｆＤ）と表示面１２ｆＤとがなるべく平行関係に近く、一見して、撮影対象物ＰＤに対する電子機器１Ｄの位置とライブビュー上の構図との関係が分かり易い方が好ましい。よって、上記のごとく、表示面１１ｆＤの正面方向と表示面１２ｆＤの正面方向とがなす角度が、例えば、約１７０度以上（上限は１８０度）等、なるべく大きな方が好ましく、更に、好ましくは、表示面１１ｆＤの正面方向と表示面１２ｆＤの正面方向とがなす角度が、約１８０度となることである。そして、このような構成とすることで、容易に構図の調整を行うことができる。
【００８９】
さらに、ここで「電子機器１Ｄの筐体の表面のうち、互いに略同一の方向に向いた第１と第２の面に、第１と第２表示部１１Ｄ，１２Ｄの表示面１１ｆＤ，１２ｆＤがそれぞれ配置されている」状態とは、第３実施形態における「電子機器１Ｃの筐体５０の表面のうち、互いに略同一の方向に向いた第１と第２の面に、第１と第２表示部１１Ｃ，１２Ｃの表示面１１Ｃｆ，１２Ｃｆがそれぞれ配置されている」状態と同様な意味であるため、ここでは説明を省略する。
【００９０】
また、電子機器１Ｄでは、正面側に撮影レンズ１００を有する撮像部１０Ｄが配置され、背面側に第１表示部１１Ｄが配置される。つまり、第１表示部１１Ｄと撮像部１０Ｄとが本体筐体部５０ａの表裏面に設けられるように配置される。言い換えれば、電子機器１Ｄの筐体の表面のうち、互いに略反対の方向に向いた第１と第２の面に、光学部材である撮影レンズ１００（具体的には、撮影レンズ１００の開口面、換言すれば、撮影レンズ１００の開口部）と、第１及び第２の表示部１１Ｄ，１２Ｄの表示面のうちの相対的に大きな表示面である表示面１１ｆＤとがそれぞれ配置されている。更に言い換えれば、表示面１１ｆＤの正面方向と、撮像部１０Ｄによる撮影方向（ここでは、撮像部１０Ｄの撮影レンズの光軸のうち、当該レンズ表面側から電子機器１Ｄの外側に向けて伸びる方向）とが略反対の方向となっている。
【００９１】
このような構成とすることで、撮像部１０Ｄによる撮影時に、ユーザーは、被写体の方向を向いた状態で、撮像部１０Ｄから取り込まれる画像（ライブビュー表示）を比較的大きな表示面１１ｆＤに表示させることで、被写体とライブビュー表示とを見比べながら、撮像部１０Ｄから取り込まれる画像データに係る構図の確認を容易に行いつつ撮影を実施することができる。すなわち、カメラとしての使い勝手の良さを考慮した電子機器１Ｄを提供することができる。
【００９２】
以上のように、本発明の第４実施形態に係る電子機器１Ｄでは、撮像機能を有する第１表示部１１Ｄと、第１表示部１１Ｄからの画像を表示する第２表示部１２Ｄとの相対的な位置関係を変更することができる。このような構成とすることで、第１表示部１１Ｄの撮像機能によって撮影を行う電子機器１Ｄの操作状態に応じた形で、第２表示部１２Ｄによって第１表示部１１Ｄから取り込まれる画像データに係る構図の確認を容易に行いつつ撮影を実施することができる。
【００９３】
また、第１表示部１１Ｄと第２表示部１２Ｄとの相対的な位置関係や、表示面１１ｆＤと表示面１２ｆＤとの相対的な角度関係を変更させることで、図１０(ｃ)に示すように、電子機器１Ｄの筐体の表面のうち、互いに略反対の方向（すなわち、互いに異なる方向）に向いた第１と第２の面に、第１と第２の表示部１１Ｄ，１２Ｄの表示面１１ｆＤ，１２ｆＤがそれぞれ配置されるようにすることができる（第３の状態）。その結果、例えば、表示面１１ｆＤよりも大きな原稿を撮影対象物とした場合等において、第１表示部１１Ｄが設けられる面を下面として当該撮影対象物の上に電子機器１Ｄを載置した状態で、電子機器の上面方向から、第１表示部１１Ｄからの画像を第２表示部１２Ｄによって確認しつつ、容易に構図の調整を行うことができる。すなわち、別の第２表示部１２Ｄによって第１表示部１１から取り込まれる画像データに係る構図の確認を容易に行いつつ撮影を実施することができる。
【００９４】
さらに、第１表示部１１Ｄと第２表示部１２Ｄとの相対的な位置関係や、表示面１１ｆＤと表示面１２ｆＤとの相対的な角度関係を変更させることで、図１０(ａ)に示すように、本体筐体部５０ａと可動部５０ｂとを含む電子機器１Ｄの筐体の表面のうち、互いに略同一の方向に向いた第１と第２の面に、第１と第２表示部１１Ｄ，１２Ｄの表示面１１ｆＤ，１２ｆＤがそれぞれ配置されるようにすることができる（第１の状態）。その結果、例えば、図８で示すように、表示面１１ｆＤよりも小さな名刺を撮影対象物とした場合等において、第１表示部１１Ｄが設けられる面を上面とした状態で電子機器１Ｄを机上等に載置し、表示面１１ｆＤ上に撮影対象物を載せて、別の第２表示部１２Ｄによって第１表示部１１Ｄから取り込まれる画像データに係る構図の確認を容易に行いつつ撮影を実施することができる。
【００９５】
＜５．第５実施形態＞
上述した第１〜第４実施形態では、電子機器１Ａ〜１Ｄが携帯電話機やデジタルスチルカメラ等であったが、図１２に示すように、第５実施形態に係る電子機器１Ｅは、携帯式の電子機器の一種であるデジタルビデオ型の撮像装置として構成される。なお、第５実施形態に係る電子機器１Ｅでは、電子機器の形状や各部（第１表示部、及び第２表示部等）の配置等が第１〜第４実施形態に係る電子機器１Ａ〜１Ｄと異なるのみである。よって、ここでは、電子機器１Ａ〜１Ｄと異なる部分を第１表示部１１Ｅ、及び第２表示部１２Ｅと符合を変更して示している。但し、機能構成や撮影動作等については、電子機器１Ａ〜１Ｄと同様となるため、ここでは説明を省略する。以下、図１２を参照しつつ、電子機器１Ａ〜１Ｄと異なる部分について説明する。
【００９６】
図１２は、本発明の第５実施形態に係る電子機器１Ｅの外観を示す図である。電子機器１Ｅは、ビデオカメラとして構成されており、本体筐体部２ａと可動部２ｂとがヒンジ部(接続部)ＲＴにより蝶着されている。そして、ヒンジ部ＲＴを中心に回動し、電子機器１Ｅの本体筐体部２ａに対して可動部２ｂが閉じた状態（収納状態）(図１２(ｂ)参照)と、可動部２ｂが開いた状態（展開状態）(図１２(ａ)参照)との間の移行が可能になる。
【００９７】
また、電子機器１Ｅは、本体筐体部２ａに通常の表示デバイスである第２表示部１２Ｅが設けられるとともに、可動部２ｂに画像入力可能な表示デバイスである第１表示部１１Ｅが設けられている。
【００９８】
つまり、第２表示部１２Ｅが、電子機器１Ｅの本体筐体部２ａに対して固定配置され、接続部ＲＴが、本体筐体部２ａと第１表示部１１Ｅとの相対的な位置関係を変更する手段として機能する。すなわち、接続部ＲＴによって、第１表示部１１Ｅの表示面１１ｆＥと第２表示部１２の表示面１２ｆＥとの相対的な角度関係が変更可能となっている。また、別の観点から言えば、接続部ＲＴによって、第１表示部１１Ｅと第２表示部１２Ｅとの相対的な位置関係が変更可能となっている。
【００９９】
そして、図１２(ｂ)に示すように表示面(画像入力面)１１ｆＥを内側にして可動部２ｂが折り畳まれる収納状態において、その間隙に介挿された原稿ＳＥに対する画像入力が行われる。このとき、第１表示部１１Ｅによって得られるライブビュー用の画像を第２表示部１２Ｅに表示することで、第１表示部１１Ｅによる本撮影前に構図の確認を容易に行うことができる。
【０１００】
以上のように、本発明の第５実施形態に係る電子機器１Ｅでは、撮像機能を有する第１表示部１１Ｅと、第１表示部１１Ｅからの画像を表示する第２表示部１２Ｅとの相対的な位置関係、及び表示面１１ｆＥと表示面１２ｆＥとの相対的な角度関係を変更することができる。このような構成とすることで、第１表示部１１Ｅの撮像機能によって撮影を行う電子機器１Ｅの操作状態に応じた形で、第２表示部１２Ｅによって第１表示部１１Ｅから取り込まれる画像データに係る構図の確認を容易に行いつつ撮影を実施することができる。
【０１０１】
＜６．第６実施形態＞
上述した第２実施形態に係る電子機器１Ｂでは、電子機器１Ｂの筐体の表面のうち、互いに略反対の方向に向いた２つの面に、撮像部１０Ｂの光学部材である撮影レンズと、第１及び第２の表示部の表示面のうちの相対的に大きな表示面である表示面１１ｆとがそれぞれ配置されていたが、第６実施形態に係る電子機器１Ｆでは、電子機器１Ｆの筐体の表面のうち、互いに略反対の方向に向いた２つの面に、撮像部１０Ｆの光学部材である撮影レンズと、第１及び第２表示部１１Ｆ，１２Ｆの表示面うちの何れか選択した一方の表示面とをそれぞれ配置することができるように、本体筐体部と可動部とを接続する接続機構を有する。
【０１０２】
なお、第６実施形態に係る電子機器１Ｆでは、第１及び第２表示部１１Ｆ，１２Ｆの表示面の何れか一方を選択的に配置することができるように、本体筐体部と可動部とを接続する接続機構を有する点と、撮像部１０Ｆの配置以外は、第２実施形態に係る電子機器１Ｂと同様な構成となるため、図１３から図１５では、電子機器１Ｂと異なる部分を撮像部１０Ｆ、第１表示部１１Ｆ及び第２表示部１２Ｆと符合を変更して示し、電子機器１Ｂと同様となる部分については同じ符合を付して説明を省略する。また、機能構成や撮影動作等についても電子機器１Ｂ等と同様となるため説明を省略する。以下、図１３から図１５を参照しつつ、電子機器１Ｆのうち、電子機器１Ｂと異なる点について説明する。
【０１０３】
図１３から図１５は、本発明の第６実施形態に係る電子機器１Ｆの外観を示す図である。電子機器１Ｆは、例えば、電子機器１Ｂと同様に、携帯式の電子機器の一種であるカメラ付きの携帯電話機として構成されており、本体筐体部１ａＦと可動部１ｂＦとが接続機構ＲＣ３によって接続されている。この接続機構ＲＣ３は、軸Ａｘ２を中心に回動させることで、電子機器１Ｆの本体筐体部１ａＦに対して可動部１ｂＦが閉じて折り畳まれる状態（収納状態）(図１４，図１５(ａ)参照)と、可動部１ｂＦが開いて展開される状態（展開状態）(図１３参照)との間の移行が可能になる。
【０１０４】
ここでは、上述した電子機器１Ｂと同様に、第２表示部１２Ｆが、可動部１ｂＦにおいて第１表示部１１Ｆの面に対する反対面(裏面)に設けられ、撮像部１０Ｆが、本体筐体部１ａＦに設けられる。なお、撮像部１０Ｆは、図１４に示すように、収納状態において電子機器１Ｆの外面側に配置されるように設けられている。つまり、収納状態で、撮像部１０Ｆによる撮像を実施することができ、図１５(ａ)に示す収納状態では、撮像部１０Ｆと第２表示部１２Ｆとが電子機器１Ｆの筐体の表裏面に配置される。
【０１０５】
接続機構ＲＣ３は、軸Ａｘ２を中心とした回動とは別に、軸Ａｘ３を中心とした回動が可能となっている。具体的には、この接続機構ＲＣ３は、軸Ａｘ３を中心に回動させることで、電子機器１Ｆの本体筐体部１ａＦに対して可動部１ｂＦが閉じて折り畳まれる状態（収納状態）(図１４，図１５(ｂ)参照)と、可動部１ｂＦが開いて展開される状態（展開状態）(図１３参照)との間の移行が可能になる。なお、図１５(ｂ)に示す収納状態では、撮像部１０Ｆと第１表示部１１Ｆとが電子機器１Ｆの筐体の表裏面に配置される。
【０１０６】
つまり、接続機構ＲＣ３が、第１表示部１１Ｆと第２表示部１２Ｆとの相対的な位置関係、及び第１表示部１１Ｆの表示面１１ｆＦと第２表示部１２Ｆの表示面１２ｆＦとの相対的な角度関係を自由自在に変更する手段として機能する。
【０１０７】
また、電子機器１Ｆでは、図１３及び図１５に示すように、第１表示部１１Ｆの表示面１１ｆＦの方が、第２表示部１２Ｆの表示面１２ｆＦよりも相対的に面積が大きくなるように構成される。よって、図１５(ｂ)に示す収納状態、及び図１３に示す展開状態では、電子機器１Ｆの筐体の表面のうち、互いに略反対の方向に向いた２つの面（第１と第２の面とも称する）に、撮像部１０Ｆの光学部材である撮影レンズ（具体的には、撮影レンズの開口面、換言すれば、撮影レンズの開口部）と、第１及び第２の表示部１１Ｆ，１２Ｆの表示面のうちの相対的に大きな表示面である表示面１１ｆＦとがそれぞれ配置されている。
【０１０８】
なお、ここで「電子機器１Ｆの筐体の表面のうち、互いに略反対の方向に向いた第１と第２の面に、撮像部１０Ｆの光学部材である撮影レンズと、第１及び第２の表示部１１Ｆ，１２Ｆの表示面のうちの相対的に大きな表示面１１ｆＦとがそれぞれ配置されている」状態とは、第２実施形態における「電子機器１Ｂの筐体の表面のうち、互いに略反対の方向に向いた第１と第２の面に、撮像部１０Ｂの光学部材である撮影レンズと、第１及び第２の表示部の表示面のうちの相対的に大きな表示面とがそれぞれ配置されている」状態と同様な意味であるため、ここでは説明を省略する。
【０１０９】
このように、図１５(ｂ)に示す収納状態、及び図１３に示す展開状態とすることで、撮像部１０Ｆによる撮影時に、ユーザーは、被写体の方向を向いたままで、撮像部１０Ｆから取り込まれる画像（ライブビュー表示）を比較的大きな表示面に表示させて、被写体とライブビュー表示とを見比べながら、撮像部１０Ｆから取り込まれる画像データに係る構図の確認を容易に行いつつ撮影を実施することができる。すなわち、カメラとしての使い勝手の良さを考慮した電子機器１Ｆを提供することができる。
【０１１０】
なお、ここでは、第１表示部１１Ｆの表示面１１ｆＦの方が、第２表示部１２Ｆの表示面１２ｆＦよりも相対的に面積が大きくなるように構成されたが、これに限られるものではなく、第２表示部１２Ｆの表示面１２ｆＦの方が、第１表示部１１Ｆの表示面１１ｆＦよりも相対的に面積が大きくなるように構成される場合には、接続機構ＲＣ３の回動によって、図１５(ａ)に示すように第２表示部１２Ｆを電子機器１Ｆの外側に向けた収納状態として、撮像部１０Ｆによる撮影を実施しても良いし、図示を省略しているが、展開状態において、電子機器１Ｆの筐体の表面のうち、互いに略反対の方向に向いた第１と第２の面に、撮像部１０Ｆの光学部材である撮影レンズ（具体的には、撮影レンズの開口面、換言すれば、撮影レンズの開口部）と、第１及び第２の表示部１１Ｆ，１２Ｆの表示面のうちの相対的に大きな表示面１２ｆＦとがそれぞれ配置されるようにしても良い。
【０１１１】
以上のように、第６実施形態に係る電子機器１Ｆでは、電子機器１Ｆの筐体の表面のうち、互いに略反対の方向に向いた第１と第２の面に、撮像部１０Ｆの光学部材である撮影レンズと、第１及び第２の表示部１１Ｆ，１２Ｆの表示面のうちの相対的に大きな表示面とがそれぞれ配置されている。このような構成とすることで、撮像部１０Ｆによる撮影時に、ユーザーは被写体の方向を向いたままで、撮像部１０Ｆから取り込まれる画像を比較的大きな表示面に表示させて、撮像部１０Ｆから取り込まれる画像データに係る構図の確認を容易に行いつつ撮影を実施することができる。すなわち、カメラとしての使い勝手の良さを考慮した電子機器１Ｆを提供することができる。
【０１１２】
＜７．その他＞
以上、この発明の実施形態について説明したが、この発明は上記説明した内容のものに限定されるものではない。
【０１１３】
◎例えば、上述した実施形態では、携帯電話機やデジタルスチルカメラ及びビデオカメラ型等の撮像装置等、種々の撮像機能を有する電子機器を例示して説明したが、本発明の対象は係る電子機器に限られるものではなく、例えば、ノート型パソコンやＰＤＡ等、表示部や撮像機能等を有する種々の携帯式の電子機器等も本発明の対象となる。
【０１１４】
◎また、上述した第４〜第６実施形態に係る電子機器１Ｄ〜１Ｆでは、第１表示部１１Ｄ〜１１Ｆが配置された部分と第２表示部１２Ｄ〜１２Ｆが配置された部分とが、接続部ＲＣ，ＲＣ２，ＲＴによって回動可能に接続されたが、これに限られるものではなく、例えば、第１表示部１１Ｄ〜１１Ｆが配置された部分と第２表示部１２Ｄ〜１２Ｆが配置された部分とが、画像信号や制御信号等といった各種信号を相互に送受信可能なケーブルによって各々接続されることで、第１表示部１１Ｄ〜１１Ｆと第２表示部１２Ｄ〜１２Ｆとの相対的な位置関係やその表示面相互の角度関係を変更可能とするようにしても良い。
【０１１５】
さらに、例えば、第１表示部１１Ｄ〜１１Ｆが配置された部分と第２表示部１２Ｄ〜１２Ｆが配置された部分とが、機械的に接続された状態と、機械的に接続されていない状態とを移行可能とし、第１表示部１１Ｄ〜１１Ｆが配置された部分と第２表示部１２Ｄ〜１２Ｆが配置された部分とが機械的に接続されていない状態で、画像信号や制御信号等といった各種信号を相互に無線形式で送受信可能とすることで、第１表示部１１Ｄ〜１１Ｆと第２表示部１２Ｄ〜１２Ｆとの相対的な位置関係やその表示面相互の角度関係を変更可能とするようにしても良い。
【０１１６】
このような構成とすることで、さらに、電子機器の操作状態に応じた形で、第１表示部や撮像部から取り込まれる画像データに係る構図の確認を容易に行いつつ撮影を実施することができる。
【０１１７】
◎また、上述した第４実施形態に係る電子機器１Ｄでは、本体筐体部５０ａに第１表示部１１Ｄが配置され、可動部５０ｂに第２表示部１２Ｄが配置されたが、これに限られるものではなく、例えば、本体筐体部５０ａに第２表示部１２Ｄが配置され、可動部５０ｂに第１表示部１１Ｄが配置されるようにしても良い。
【０１１８】
つまり、第２表示部１２Ｄが、電子機器の本体筐体部５０ａに対して固定配置され、接続部ＲＣ２が、本体筐体部５０ａと第１表示部１１Ｄとの相対的な位置関係を変更する手段として機能するようにしても良い。このような構成とすることによっても、第１表示部１１Ｄの撮像機能によって撮影を行う電子機器１Ｄの操作状態に応じた形で、第２表示部１２Ｄによって第１表示部１１Ｄから取り込まれる画像データに係る構図の確認を容易に行いつつ撮影を実施することができる。
【０１１９】
◎また、上述した第３実施形態に係る電子機器１Ｃでは、電子機器１Ｃの筐体５０の表面のうち、互いに略同一の方向に向いた第１と第２の面に、第１と第２表示部１１Ｃ，１２Ｃの表示面１１ｆＣ，１２ｆＣがそれぞれ配置されていたが、例えば、第１の面と第２の面とが同一の面であっても良い。すなわち、本明細書における「互いに略同一の方向に向いた第１と第２の面」という表現には、第１の面と第２の面とが同一の面である状態をも含む。
【図面の簡単な説明】
【０１２０】
【図１】本発明の第１実施形態に係る電子機器の外観を示す図である。
【図２】撮像装置の外観を示す図である。
【図３】撮像装置の機能を示すブロック図である。
【図４】撮影モードIIにおける撮影動作フローを示すフローチャートである。
【図５】本発明の第２実施形態に係る電子機器の外観を示す図である。
【図６】本発明の第３実施形態に係る電子機器の外観を示す図である。
【図７】電子機器の外観を示す図である。
【図８】第１表示部によって被写体を撮影する場合の使用例を示す模式図である。
【図９】本発明の第４実施形態に係る電子機器の外観を示す図である。
【図１０】第１表示部と第２表示部との角度関係の変更態様を示す模式図である。
【図１１】第１表示部によって被写体を撮影する場合の使用例を示す模式図である。
【図１２】本発明の第５実施形態に係る電子機器の外観を示す図である。
【図１３】本発明の第６実施形態に係る電子機器の外観を示す図である。
【図１４】電子機器の外観を示す図である。
【図１５】第１表示部と第２表示部との角度関係の変更態様を示す模式図である。
【符号の説明】
【０１２１】
１Ａ，１Ｂ，１Ｃ，１Ｄ，１Ｅ，１Ｆ  電子機器
１ａ，２ａ，５０ａ  本体筐体部
１ｂ，２ｂ，５０ｂ  可動部
１０Ａ，１０Ｂ，１０Ｃ，１０Ｄ，１０Ｆ  撮像部
１１，１１Ｂ，１１Ｃ，１１Ｄ，１１Ｅ，１１Ｆ  第１表示部（第１の表示部）
１２，１２Ｂ，１２Ｃ，１２Ｄ，１２Ｅ，１２Ｆ  第２表示部（第２の表示部）
ＲＣ２，ＲＴ  接続部（変更手段）
ＲＣ３  接続機構（変更手段）
【図１】
2005184306.tif 000003
【図２】
2005184306.tif 000004
【図３】
2005184306.tif 000005
【図４】
2005184306.tif 000006
【図５】
2005184306.tif 000007
【図６】
2005184306.tif 000008
【図７】
2005184306.tif 000009
【図８】
2005184306.tif 000010
【図９】
2005184306.tif 000011
【図１０】
2005184306.tif 000012
【図１１】
2005184306.tif 000013
【図１２】
2005184306.tif 000014
【図１３】
2005184306.tif 000015
【図１４】
2005184306.tif 000016
【図１５】
2005184306.tif 000017